(57)【特許請求の範囲】
【請求項１】
第１の解像度の映像の放送コンテンツに連動して放送されるデータ放送から、当該放送コンテンツが前記第１の解像度とは異なる第２の解像度の映像で放送されている場合に前記データ放送に含まれている付加情報を、抽出する抽出部と、
前記抽出部により前記付加情報が抽出された場合、自装置が前記第２の解像度の映像の表示に対応しているか否かを判定する判定部と、
前記判定部により前記第２の解像度の映像の表示に対応していると判定された場合、ユーザの操作により前記第２の解像度の映像の放送コンテンツへ切り替え可能な表示情報を表示部に表示させる制御部と、を備え、
前記付加情報には、前記表示情報が選択されたときに実行される映像の切り替え処理を示す情報と、ユーザの操作により前記第２の解像度の映像へ切り替え可能な切替ボタンを前記表示情報として前記表示部に表示させるための画像データとが含まれ、
前記制御部は、
前記切替ボタンを表す画像データを用いて、前記第１の解像度の映像の放送コンテンツに重畳して前記切替ボタンを表示させ、
前記切替ボタンが選択された場合、前記映像の切り替え処理を示す情報に基づいて、前記表示部に表示させる映像の放送コンテンツを、前記第１の解像度の映像の放送コンテンツから、前記第２の解像度の映像の放送コンテンツに切り替える、
受信装置。
【請求項２】
前記制御部は、
前記判定部により前記第２の解像度の映像の表示に対応していないと判定された場合、前記表示情報を前記表示部に表示させない、
請求項１に記載の受信装置。
【請求項３】
前記制御部は、
前記表示情報を前記表示部に表示させている時間を、所定の時間に限定する、
請求項１から請求項２のいずれか一項に記載の受信装置。
【請求項４】
前記第２の解像度は、前記第１の解像度よりも高解像度である、
請求項１から請求項３のいずれか一項に記載の受信装置。
【請求項５】
複数の解像度の映像で放送コンテンツを放送する送信装置と、送信装置から放送される放送コンテンツを受信する受信装置とを備える放送システムであって、
前記受信装置は、
第１の解像度の映像の放送コンテンツに連動して放送されるデータ放送から、当該放送コンテンツが前記第１の解像度とは異なる第２の解像度の映像で放送されている場合に前記データ放送に含まれている付加情報を、抽出する抽出部と、
前記抽出部により前記付加情報が抽出された場合、自装置が前記第２の解像度の映像の表示に対応しているか否かを判定する判定部と、
前記判定部により、前記第２の解像度の映像の表示に対応していると判定された場合、ユーザの操作により前記第２の解像度の映像の放送コンテンツへ切り替え可能な表示情報を表示部に表示させる制御部と、を備え、
前記付加情報には、前記表示情報が選択されたときに実行される映像の切り替え処理を示す情報と、ユーザの操作により前記第２の解像度の映像へ切り替え可能な切替ボタンを前記表示情報として前記表示部に表示させるための画像データとが含まれ、
前記制御部は、
前記切替ボタンを表す画像データを用いて、前記第１の解像度の映像の放送コンテンツに重畳して前記切替ボタンを表示させ、
前記切替ボタンが選択された場合、前記映像の切り替え処理を示す情報に基づいて、前記表示部に表示させる映像の放送コンテンツを、前記第１の解像度の映像の放送コンテンツから、前記第２の解像度の映像の放送コンテンツに切り替える、
を備える放送システム。
【請求項６】
受信装置における受信方法であって、
抽出部が、第１の解像度の映像の放送コンテンツに連動して放送されるデータ放送から、当該放送コンテンツが前記第１の解像度とは異なる第２の解像度の映像で放送されている場合に前記データ放送に含まれている付加情報を、抽出する抽出過程と、
判定部が、前記抽出部により前記付加情報が抽出された場合、自装置が前記第２の解像度の映像の表示に対応しているか否かを判定する判定過程と、
制御部が、前記判定部により、前記第２の解像度の映像の表示に対応していると判定された場合、ユーザの操作により前記第２の解像度の映像の放送コンテンツへ切り替え可能な表示情報を、表示部に表示させる制御過程と、を有し、
前記付加情報には、前記表示情報が選択されたときに実行される映像の切り替え処理を示す情報と、ユーザの操作により前記第２の解像度の映像へ切り替え可能な切替ボタンを前記表示情報として前記表示部に表示させるための画像データとが含まれ、
前記制御過程は、
前記切替ボタンを表す画像データを用いて、前記第１の解像度の映像の放送コンテンツに重畳して前記切替ボタンを表示させ、
前記切替ボタンが選択された場合、前記映像の切り替え処理を示す情報に基づいて、前記表示部に表示させる映像の放送コンテンツを、前記第１の解像度の映像の放送コンテンツから、前記第２の解像度の映像の放送コンテンツに切り替える、
受信方法。
【請求項７】
コンピュータに、
第１の解像度の映像の放送コンテンツに連動して放送されるデータ放送から、当該放送コンテンツが前記第１の解像度とは異なる第２の解像度の映像で放送されている場合に前記データ放送に含まれている付加情報を、抽出する抽出手順と、
前記付加情報が抽出された場合、自装置が前記第２の解像度の映像の表示に対応しているか否かを判定する判定手順と、
前記判定手順において、前記第２の解像度の映像の表示に対応していると判定された場合、ユーザの操作により前記第２の解像度の映像の放送コンテンツへ切り替え可能な表示情報を表示部に表示させる制御手順と、を実行させるためのプログラムであって、
前記付加情報には、前記表示情報が選択されたときに実行される映像の切り替え処理を示す情報と、ユーザの操作により前記第２の解像度の映像へ切り替え可能な切替ボタンを前記表示情報として前記表示部に表示させるための画像データとが含まれ、
前記制御手順は、
前記切替ボタンを表す画像データを用いて、前記第１の解像度の映像の放送コンテンツに重畳して前記切替ボタンを表示させ、
前記切替ボタンが選択された場合、前記映像の切り替え処理を示す情報に基づいて、前記表示部に表示させる映像の放送コンテンツを、前記第１の解像度の映像の放送コンテンツから、前記第２の解像度の映像の放送コンテンツに切り替える、
プログラム。
【発明の詳細な説明】
【技術分野】
【０００１】
本発明は、受信装置、放送システム、受信方法、及びプログラムに関する。
【背景技術】
【０００２】
デジタル放送移行期に同じ番組がアナログ放送とデジタル放送で行われていた。受信装置において、アナログ放送を受信していると、アナログ放送が終了する旨の文字スーパーを流したり、デジタル放送受信を促すメッセージがアナウンスされていた。アナログ放送からデジタル放送への移行期では、アナログ放送とデジタル放送の両方を受信出来る受信機もあったが、上述したようにデジタル放送への移行の告知は視聴者に提供されるものの、アナログ放送で行われている番組と同じデジタル放送の番組へ切りかえるには、視聴者自身が一旦、放送メディアをデジタル放送に切り替えて、更にアナログ放送と同じデジタル放送を見つける為にＥＰＧ（Ｅｌｅｃｔｒｏｎｉｃ  Ｐｒｏｇｒａｍ  Ｇｕｉｄｅ）の確認やチャンネル選局手段などを経て切り替え操作をする必要があり、操作上の手間が課題となっていた。
【０００３】
完全デジタル放送に移行された後では、２Ｋ放送と、２Ｋ放送より高解像度の４Ｋ又は８Ｋ放送とのサイマル放送が考えられている。しかしながら、例えば２Ｋ放送から４Ｋ又は８Ｋ放送へ切り替えるには、アナログ放送からデジタル放送への移行期と同様に操作上の手間が課題となる。
例えば、特許文献１には、異なる解像度の映像が入力される映像装置（表示装置）において、画面上に表示されたメニューで各解像度に対応する表示画質モードを選択できることが記載されている。
【先行技術文献】
【特許文献】
【０００４】
【特許文献１】特開２０１０−２５１９８８号公報
【発明の概要】
【発明が解決しようとする課題】
【０００５】
しかしながら、特許文献１の映像装置（表示装置）では、入力される映像の解像度に応じて表示画質モードを選択することができるが、複数の解像度で放送されるサイマル放送の場合にユーザが視聴する解像度を切り替えるには、上述したようにＥＰＧの確認やチャンネル選局手段などを経て切り替え操作をする必要があり、同様に操作上の手間が課題となる。
【０００６】
本発明は、上記した事情に鑑みてなされたもので、複数の異なる解像度で映像コンテンツの放送が行われている場合に、ユーザが視聴する解像度を容易に切り替えることができる受信装置、放送システム、受信方法、及びプログラムを提供することを目的の一つとする。
【課題を解決するための手段】
【０００７】
本発明の一態様は、第１の解像度の映像の放送コンテンツに連動して放送されるデータ放送から、当該放送コンテンツが前記第１の解像度とは異なる第２の解像度の映像で放送されている場合に前記データ放送に含まれている付加情報を、抽出する抽出部と、前記抽出部により前記付加情報が抽出された場合、自装置が前記第２の解像度の映像の表示に対応しているか否かを判定する判定部と、前記判定部により前記第２の解像度の映像の表示に対応していると判定された場合、ユーザの操作により前記第２の解像度の映像の放送コンテンツへ切り替え可能な表示情報を、表示部に表示させる制御部と、を備える受信装置である。
【０００８】
また、本発明の一態様は、上記受信装置において、前記付加情報は、ユーザの操作により前記第２の解像度の映像へ切り替え可能な切替ボタンを前記表示情報として前記表示部に表示させるための情報であり、前記制御部は、前記判定部により前記第２の解像度の映像の表示に対応していると判定された場合、前記付加情報に基づいて前記切替ボタンを前記表示部に表示させる。
【０００９】
また、本発明の一態様は、上記受信装置において、前記表示部に表示された前記切替ボタンに対して操作がされた場合、前記表示部に表示させる放送コンテンツを、前記第１の解像度の映像の放送コンテンツから前記第２の解像度の映像の放送コンテンツに切り替える切替部、を備える。
【００１０】
また、本発明の一態様は、上記受信装置において、前記制御部は、前記判定部により前記第２の解像度の映像の表示に対応していないと判定された場合、前記表示情報を前記表示部に表示させない。
【００１１】
また、本発明の一態様は、上記受信装置において、前記制御部は、前記表示情報を前記表示部に表示させている時間を、所定の時間に限定する。
【００１２】
また、本発明の一態様は、上記受信装置において、前記第２の解像度は、前記第１の解像度よりも高解像度である。
【００１３】
また、本発明の一態様は、複数の解像度の映像で放送コンテンツを放送する送信装置と、送信装置から放送される放送コンテンツを受信する受信装置とを備える放送システムであって、前記受信装置は、第１の解像度の映像の放送コンテンツに連動して放送されるデータ放送から、当該放送コンテンツが前記第１の解像度とは異なる第２の解像度の映像で放送されている場合に前記データ放送に含まれている付加情報を、抽出する抽出部と、前記抽出部により前記付加情報が抽出された場合、自装置が前記第２の解像度の映像の表示に対応しているか否かを判定する判定部と、前記判定部により、前記第２の解像度の映像の表示に対応していると判定された場合、ユーザの操作により前記第２の解像度の映像の放送コンテンツへ切り替え可能な表示情報を、表示部に表示させる制御部と、を備える放送システムである。
【００１４】
また、本発明の一態様は、受信装置における受信方法であって、抽出部が、第１の解像度の映像の放送コンテンツに連動して放送されるデータ放送から、当該放送コンテンツが前記第１の解像度とは異なる第２の解像度の映像で放送されている場合に前記データ放送に含まれている付加情報を、抽出する抽出過程と、判定部が、前記抽出部により前記付加情報が抽出された場合、自装置が前記第２の解像度の映像の表示に対応しているか否かを判定する判定過程と、制御部が、前記判定部により、前記第２の解像度の映像の表示に対応していると判定された場合、ユーザの操作により前記第２の解像度の映像の放送コンテンツへ切り替え可能な表示情報を、表示部に表示させる制御過程と、を有する受信方法である。
【００１５】
また、本発明の一態様は、コンピュータに第１の解像度の映像の放送コンテンツに連動して放送されるデータ放送から、当該放送コンテンツが前記第１の解像度とは異なる第２の解像度の映像で放送されている場合に前記データ放送に含まれている付加情報を、抽出する抽出手順と、前記付加情報が抽出された場合、自装置が前記第２の解像度の映像の表示に対応しているか否かを判定する判定手順と、前記判定手順において、前記第２の解像度の映像の表示に対応していると判定された場合、ユーザの操作により前記第２の解像度の映像の放送コンテンツへ切り替え可能な表示情報を表示部に表示させる制御手順と、を実行させるためのプログラムである。
【発明の効果】
【００１６】
本発明によれば、複数の異なる解像度で映像コンテンツの放送が行われている場合に、ユーザが視聴する解像度を容易に切り替えることができる。
【図面の簡単な説明】
【００１７】
【図１】第１の実施形態に係るサイマル放送による表示切替処理の概要を説明する説明図である。
【図２】第１の実施形態に係る放送システムの構成の一例を示すブロック図である。
【図３】第１の実施形態に係るリモコンの一例を示す外観図である。
【図４】第１の実施形態に係る制御部の構成の一例を示すブロック図である。
【図５】第１の実施形態に係る表示切替処理の一例を示すフローチャートである。
【図６】第２の実施形態に係る表示切替処理の一例を示すフローチャートである。
【発明を実施するための形態】
【００１８】
以下、図面を参照して、本発明の実施の形態について説明する。
[第１の実施形態]
図１は、本実施形態に係るサイマル放送による表示切替処理の概要を説明する説明図である。本実施形態におけるサイマル放送とは、同じ時間帯に同じ番組を複数の異なる解像度で放送する同時並行放送（例えば、２Ｋ放送と４Ｋ又は８Ｋ放送との同時並行放送）のことをいう。なお、２Ｋ放送、４Ｋ放送、及び８Ｋ放送は、それぞれ２Ｋ映像、４Ｋ放送、及び８Ｋ映像のコンテンツの放送である。なお、２Ｋ映像、４Ｋ映像、及び８Ｋ映像は、映像の水平方向の画素数に基づく表現である。
【００１９】
例えば、サイマル放送では、同じ時間帯に同じ番組の放送コンテンツを、複数の異なる解像度の映像でそれぞれ異なるチャンネル（チャンネル周波数）で放送する。なお、放送システムは、地上波デジタル放送、衛星デジタル放送（ＢＳデジタル、１１０度ＣＳ、ＣＳデジタル等）、ケーブルテレビ（ＣＡＴＶ）、等のいずれか又は組合せであってもよい。ここでは、衛星デジタル放送による２Ｋ放送と４Ｋ放送とのサイマル放送を例として説明する。例えば、２Ｋ映像の放送コンテンツと、２Ｋ映像の放送コンテンツに連動するデータ放送と、４Ｋ映像の放送コンテンツと、がサイマル放送で放送されている。
【００２０】
放送衛星１５から送信される放送波を受信装置２０が受信する。受信装置２０は、例えばテレビジョン装置である。受信装置２０は、サイマル放送で放送されている２Ｋ映像の放送コンテンツがユーザにより選択された場合、２Ｋ映像の放送コンテンツを受信して表示するとともに、２Ｋ映像の放送コンテンツに連動するデータ放送に含まれる付加情報に基づいて、この放送コンテンツの４Ｋ映像へ切り替え可能な表示情報を表示する。この表示情報は、例えば、表示する放送コンテンツを２Ｋ映像から４Ｋ映像へ切り替え可能な切替ボタンである。図示するように、受信装置２０の表示画面Ｇ１０には、２Ｋ映像と、４Ｋ映像へ切り替え可能な切替ボタンである４Ｋ映像切替ボタンＢ１０とが、表示される。
【００２１】
ここで、データ放送に含まれる付加情報は、例えば、４Ｋ映像のコンテンツへの切り替え操作が可能な４Ｋ映像切替ボタンＢ１０を表示するための付加情報である。この付加情報は、サイマル放送である場合にデータ放送に含まれ、サイマル放送でない場合にはデータ放送に含まれない。例えば、付加情報には、４Ｋ映像の放送コンテンツのチャンネル情報、４Ｋ映像切替ボタンＢ１０が押下されたときに実行される処理（チャンネルの切り替え）を示す情報、４Ｋ映像切替ボタンＢ１０を表す絵や文字が含まれる画像データ等が含まれる。また、データ放送には、受信装置２０が４Ｋ放送に対応しているか否かを判定するための情報が含まれている。例えば、データ放送用の記述言語のＢＭＬ（Ｂｒｏａｄｃａｓｔ  Ｍａｒｋｕｐ  Ｌａｎｇｕａｇｅ）のｇｅｔＢｒｏｗｓｅｒＳｕｐｐｏｒｔ（）関数に、受信装置２０が４Ｋ放送に対応しているか否かを判定する関数値（例えば、Ｆｕｎｃｔｉｏｎｎａｍｅ：ＮｅｗＢＳ、ａｄｄｉｔｉｏｎａｌｉｎｆｏ：４Ｋ）を追加し、４Ｋ放送に対応している場合には戻り値を「１」、４Ｋ放送に対応していない場合には戻り値を「０」と定義する。受信装置２０は、このｇｅｔＢｒｏｗｓｅｒＳｕｐｐｏｒｔ（）関数を用いて４Ｋ放送に対応しているか否かを判定し、４Ｋ放送に対応している場合（即ち、４Ｋ映像の放送コンテンツの表示に対応している場合）、４Ｋ映像切替ボタンＢ１０を表示する。
なお、受信装置２０が４Ｋ放送に対応しているか否かを判定する方法としては、上記ＢＭＬ内の関数を用いて判定する方法に限らず、例えば、新たな関数（４Ｋ放送に対応しているか否かを判定可能な新たな関数）を規定し、その関数を用いて判定する方法としてもよい。
【００２２】
また、４Ｋ映像切替ボタンＢ１０が表示されるタイミングは、受信装置２０のリモートコントローラ（以下、リモコンと称する）等のチャンネル選局ボタンにより視聴する番組が選択されて２Ｋ映像が表示されるとき、視聴する番組がＥＰＧ（Ｅｌｅｃｔｒｏｎｉｃ  Ｐｒｏｇｒａｍ  Ｇｕｉｄｅ）から選択されて２Ｋ映像が表示されるとき、受信装置２０の電源がオンされて（前回の電源オフ時の設定により）２Ｋ映像が表示されるとき、等である。
【００２３】
ユーザのリモコン操作により、この４Ｋ映像切替ボタンＢ１０が押下されると（例えば、リモコンの決定ボタンの押下）、受信装置２０は、チャンネルを切り替えてサイマル放送で放送されている同じ番組の４Ｋ映像を受信して表示する。図示するように、４Ｋ映像切替ボタンＢ１０押下後の受信装置２０の表示画面Ｇ２０には、４Ｋ映像が表示される。
このように、本実施形態に係る受信装置２０では、２Ｋ映像と４Ｋ映像とのサイマル放送が行われている場合、２Ｋ映像が表示されている画面上のボタン操作のみで、２Ｋ映像から４Ｋ映像へユーザが容易に切り替えることができる。
【００２４】
（放送システム１の構成）
次に、図２を参照して、本実施形態に係る放送システム１の構成について詳しく説明する。図２は、本実施形態に係る放送システム１の構成の一例を示すブロック図である。放送システム１は、送信装置１０と、受信装置２０とを含んで構成される。
送信装置１０は、放送事業者により開設された放送局に設置され、放送衛星を介して衛星デジタル放送の放送コンテンツを放送波により受信装置２０へ送信する。放送コンテンツは、放送する番組のコンテンツであり、上述した２Ｋ映像や４Ｋ映像等の放送コンテンツやデータ放送等が含まれる。また、送信装置１０が放送波により送信する放送コンテンツは、映像、音声、データが多重化された多重化データ（例えば、トランスポートストリーム）である。例えば、送信装置１０は、この多重化データを所定の暗号化方式（例えば、ＭＵＬＴＩ２）を用いて暗号化し、ベースバンド信号である多重化データで所定の搬送周波数を有する搬送波を変調させて、搬送周波数に対応したチャンネル帯域の放送波を、アンテナを用いて放射する。
【００２５】
例えば、各放送事業者には、一つ又は複数のチャンネルが割り当てられている。サイマル放送を行う場合には、一つの放送事業者に、同じ時間帯に同じ番組を２Ｋ映像と４Ｋ映像とで放送するための２つのチャンネルが割り当てられている。放送衛星１５は、放送事業者の送信装置１０から送信されるチャンネル毎の放送コンテンツを中継して、受信装置２０へ放送波として送信する。
【００２６】
（受信装置の構成）
受信装置２０は、放送波を受信する受信機能を備えた電子機器である。例えば、受信装置２０は、テレビジョン装置、受信機能とディスプレイを備えたパーソナルコンピュータ等であり、送信装置１０から送信された放送コンテンツの放送波を、放送衛星１５を介して受信する。図示する受信装置２０は、チューナー２１０、復号部２１５、分離部２２０、音声復号部２３０、音声出力部２３５、映像復号部２４０、表示部２４５、制御部２５０、記憶部２６０、及びリモコン入力部２７０を含んで構成される。
【００２７】
チューナー２１０は、送信装置１０から送信された放送波を、放送衛星１５を介してアンテナにより受信する。チューナー２１０は、アンテナにより受信される放送波から、選択されたチャンネルの受信信号を、その搬送周波数でベースバンド信号である多重化データに復調する。そして、チューナー２１０は、復調した多重化データを復号部２１５に出力する。復号部２１５は、チューナー２１０から入力された多重化データ（暗号化されている）を、送信装置１０で用いられた暗号化方式に対応する復号方式（例えば、ＭＵＬＴＩ２）で復号し、復号した多重化データを生成する。そして、復号部２１５は、生成した多重化データを分離部２２０に出力する。
【００２８】
分離部２２０は、復号部２１５から入力された多重化データから、音声データ、映像データ、及び番組連動データを分離する。番組連動データは、番組（放送コンテンツ）に連動するデータ放送のデータである。分離部２２０は、分離した音声データを音声復号部２３０に出力する。また、分離部２２０は、分離した映像データを映像復号部２４０に出力する。また、分離部２２０は、分離した番組連動データを制御部２５０に出力する。
【００２９】
音声復号部２３０は、分離部２２０から音声データが入力される。入力された音声データは、所定の音声符号化方式（例えば、ＭＰＥＧ−２  オーディオ）で符号化されたデータである。音声復号部２３０は、入力された音声データを、符号化に用いられた符号化方式と対応する復号方式で復号し、復号した音声データを生成する。そして、音声復号部２３０は、復号した音声データを音声出力部２３５に出力する。
音声出力部２３５は、音声復号部２３０から入力された音声データに基づく音声を出力する。音声出力部２３５は、例えば、スピーカを含んで構成される。
【００３０】
映像復号部２４０は、分離部２２０から映像データが入力される。入力された映像データは、所定の映像符号化方式（例えば、ＭＰＥＧ−２  ビデオ）で符号化されたデータである。映像復号部２４０は、入力された映像データを、符号化に用いられた符号化方式と対応する復号方式で復号し、復号した映像データを生成する。また、映像復号部２４０は、制御部２５０から４Ｋ映像切替ボタンＢ１０の画像データが入力された場合、分離部２２０から入力された映像データに４Ｋ映像切替ボタンＢ１０の画像データを重畳した映像データを生成する。映像復号部２４０は、生成した映像データを表示部２４５に出力する。
表示部２４５は、映像復号部２４０から入力された映像データに基づく映像を表示する。表示部２４５は、例えば、ディスプレイを含んで構成される。
【００３１】
制御部２５０は、受信装置２０の種々の動作を制御する。例えば、制御部２５０は、ユーザのリモコン操作に応じて、視聴する放送コンテンツ（チャンネル、番組）が選択されると、選択された放送コンテンツのチャンネル情報をチューナー２１０に出力し、選択された放送コンテンツをチューナー２１０が受信するように制御する。また、制御部２５０は、チューナー２１０が受信する放送コンテンツの画角情報や解像度情報を、例えばＥＰＧに含まれる情報から取得する。
また、制御部２５０は、サイマル放送で放送されている２Ｋ映像の放送コンテンツがユーザにより選択された場合、４Ｋ映像へ切り替え可能な４Ｋ映像切替ボタンＢ１０の画像データを、表示部２４５に表示させるために映像復号部２４０に出力する。また、制御部２５０は、ユーザのリモコン操作により、表示部２４５に表示された４Ｋ映像切替ボタンＢ１０が押下されると、チューナー２１０が受信する放送波のチャンネルを、２Ｋ映像のチャンネルから４Ｋ映像のチャンネルに切り替える。制御部２５０の機能構成については後述する。
【００３２】
記憶部２６０は、各種のデータを記憶する。記憶部２６０は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）又はそれらの組み合わせを含んで構成される。
リモコン入力部２７０は、リモコン３０から送信される操作信号を受信し、受信した操作信号に基づいて、ユーザのリモコン３０操作の内容を示す操作情報を、制御部２５０に出力する。
【００３３】
リモコン３０は、受信装置２０の機能を遠隔操作する機器である。図３は、本実施形態に係るリモコン３０の一例を示す外観図である。図示するように、リモコン３０には、受信装置２０の機能を操作する操作ボタンとして、電源ボタンＢＭ１、放送方式として地上波デジタル放送を選択する地上波ボタンＢＭ２、ＢＳデジタル放送を選択するＢＳボタンＢＭ３、チャンネル番号の入力により選局が可能な数字ボタンＢＭ４、電子番組表（ＥＰＧ）を表示させるためのＥＰＧボタンＢＭ５、システムメニューを表示させるためのメニューボタンＢＭ６等が配置されている。また、リモコン３０には、データ放送で使用する操作ボタンとして、矢印ボタンＢＭ７（上下左右の４方向への移動）、決定ボタンＢＭ８（操作の決定）、データボタンＢＭ９（データ放送の表示／非表示）、戻るボタンＢＭ１０（操作の取り消し、キャンセル）、カラーボタンＢＭ１１（青、赤、緑、黄）、等が配置されている。なお、数字ボタンＢＭ４（１０キー）は、データ放送でも使用される。例えば、表示画面Ｇ１０に４Ｋ映像切替ボタンＢ１０が表示されている状態で、ユーザが、決定ボタンＢＭ８を押下することで、４Ｋ映像切替ボタンＢ１０が押下される。また、表示画面Ｇ１０に４Ｋ映像切替ボタンＢ１０が表示されている状態で、ユーザが、戻るボタンＢＭ１０を押下することで、４Ｋ映像切替ボタンＢ１０をキャンセルできる。
【００３４】
（制御部の構成）
次に、本実施形態に係る制御部２５０の機能構成について説明する。
図４は、本実施形態に係る制御部２５０の構成の一例を示すブロック図である。制御部２５０は、データ抽出部２５１、判定部２５２、切替ボタン制御部２５４、及びチャンネル選択部２５５を含んで構成される。
【００３５】
データ抽出部２５１は、分離部２２０から制御部２５０に入力される番組連動データから４Ｋ映像切替ボタンＢ１０を表示するための付加情報を抽出する。そして、データ抽出部２５１は、４Ｋ映像切替ボタンＢ１０を表示するための付加情報を抽出した場合、この付加情報を抽出したことを示す情報を判定部２５２に出力する。また、データ抽出部２５１は、４Ｋ映像切替ボタンＢ１０を表示するための付加情報を抽出した場合、抽出した付加情報を切替ボタン制御部２５４に出力する。
【００３６】
判定部２５２は、データ抽出部２５１から４Ｋ映像切替ボタンＢ１０を表示するための付加情報を抽出したことを示す情報が入力されると、当該放送コンテンツに連動して送信される番組連動データの中のＢＭＬで記述されているｇｅｔＢｒｏｗｓｅｒＳｕｐｐｏｒｔ（）関数を用いて、受信装置２０が４Ｋ放送に対応しているか否かを判定する。具体的には、判定部２５２は、ｇｅｔＢｒｏｗｓｅｒＳｕｐｐｏｒｔ（）関数に追加した関数値（例えば、Ｆｕｎｃｔｉｏｎｎａｍｅ：ＮｅｗＢＳ、ａｄｄｉｔｉｏｎａｌｉｎｆｏ：４Ｋ）により受信装置２０が４Ｋ放送に対応していると判定した場合（戻り値が「１」の場合）、判定結果を切替ボタン制御部２５４に出力する。
【００３７】
切替ボタン制御部２５４は、番組連動データに含まれる付加情報に基づいて、４Ｋ映像切替ボタンＢ１０に関する制御を行う。切替ボタン制御部２５４は、判定部２５２により、受信装置２０が４Ｋ放送に対応していると判定された場合、データ抽出部２５１から入力される４Ｋ映像切替ボタンＢ１０を表示するための付加情報に基づいて、４Ｋ映像切替ボタンＢ１０の画像データを映像復号部２４０に出力する。一方、切替ボタン制御部２５４は、判定部２５２により、４Ｋ放送へ対応していないと判定された場合、４Ｋ映像切替ボタンＢ１０の画像データを映像復号部２４０に出力しない。
これにより、２Ｋ映像の放送コンテンツが視聴する番組として選択され、その放送コンテンツが４Ｋ映像でも放送されているサイマル放送である場合には、映像復号部２４０で４Ｋ映像切替ボタンＢ１０が２Ｋ映像に重畳されて表示部２４５に表示される。
また、切替ボタン制御部２５４は、リモコン入力部２７０から制御部２５０に入力される操作情報により、４Ｋ映像切替ボタンＢ１０が押下されたことを示す操作情報を取得した場合、その４Ｋ映像切替ボタンＢ１０の元となる付加情報に含まれる４Ｋ映像の放送コンテンツのチャンネル情報をチャンネル選択部２５５に出力する。
【００３８】
チャンネル選択部２５５は、リモコン入力部２７０から制御部２５０に入力される操作情報（例えば、選局に関する操作情報）に基づいて、ユーザにより選択された放送方式、チャンネル、番組等を示す情報をチューナー２１０に出力する。また、チャンネル選択部２５５は、４Ｋ映像切替ボタンＢ１０が押下されたことにより、切替ボタン制御部２５４から４Ｋ映像の放送コンテンツのチャンネル情報が入力された場合、そのチャンネル情報をチューナー２１０に出力する。具体的には、４Ｋ映像の放送コンテンツのチャンネル情報は、ＢＭＬのｓｅｔＴｕｎｅ（）関数を用いて指定される。ｓｅｔＴｕｎｅ（）関数の引数ｓｅｒｖｉｃｅ＿ｒｅｆに、チューナー２１０で選局される放送局のチャンネルが指定される。
これにより、４Ｋ映像切替ボタンＢ１０が押下されると、チューナー２１０で２Ｋ映像の放送コンテンツから４Ｋ映像の放送コンテンツへチャンネルが切り替わり、４Ｋ映像が受信されて表示部２４５に表示されるようになる。
【００３９】
（表示切替処理の動作）
次に、図５を参照して、本実施形態に係る表示切替処理の動作を説明する。
図５は、本実施形態に係る表示切替処理の一例を示すフローチャートである。
受信装置２０は、選択された２Ｋ映像の放送コンテンツの放送波を受信する（ステップＳ１１０）。受信装置２０の制御部２５０は、受信した放送コンテンツに連動する番組連動データから、４Ｋ映像切替ボタンＢ１０を表示するための付加情報を抽出する（ステップＳ１２０）。
【００４０】
制御部２５０は、４Ｋ映像切替ボタンＢ１０を表示するための付加情報を抽出できなった場合（ステップＳ１２０：ＮＯ）、ステップＳ１３０以降の処理を行わずに、表示切替処理を終了する。例えば、受信した放送コンテンツがサイマル放送ではない場合、制御部２５０は、４Ｋ映像切替ボタンＢ１０を表示するための付加情報を抽出できない。
【００４１】
一方、制御部２５０は、４Ｋ映像切替ボタンＢ１０を表示するための付加情報を抽出した場合（ステップＳ１２０：ＹＥＳ）、制御部２５０は、受信装置２０が４Ｋ放送に対応しているか否かを判定する（ステップＳ１３０）。具体的には、制御部２５０は、ｇｅｔＢｒｏｗｓｅｒＳｕｐｐｏｒｔ（）関数に追加した関数値（例えば、Ｆｕｎｃｔｉｏｎｎａｍｅ：ＮｅｗＢＳ、ａｄｄｉｔｉｏｎａｌｉｎｆｏ：４Ｋ）を用いて、戻り値が「１」の場合には受信装置２０が４Ｋ放送に対応していると判定し、戻り値が「０」の場合には受信装置２０が４Ｋ放送に対応していないと判定する。
【００４２】
受信装置２０が４Ｋ放送に対応していると判定された場合（ステップＳ１３０：ＹＥＳ）、制御部２５０は、受信した２Ｋ映像を表示部２４５に表示させるとともに、４Ｋ映像切替ボタンＢ１０を２Ｋ映像に重畳して表示部２４５に表示させる（ステップＳ１４０）。具体的には、制御部２５０は、抽出した付加情報に基づいて４Ｋ映像切替ボタンＢ１０の画像データを映像復号部２４０に出力する。映像復号部２４０は、４Ｋ映像切替ボタンＢ１０を２Ｋ映像に重畳した映像データを生成し表示部２４５に出力する。これにより、表示部２４５には、４Ｋ映像切替ボタンＢ１０が２Ｋ映像に重畳された映像が表示される（図１の表示画面Ｇ１０参照）。
【００４３】
一方、受信装置２０が４Ｋ放送に対応していないと判定された場合（ステップＳ１３０：ＮＯ）、制御部２５０は、４Ｋ映像切替ボタンＢ１０の画像データを映像復号部２４０に出力せずに、表示切替処理を終了する。映像復号部２４０は、２Ｋ映像の映像データを表示部２４５に表示する。つまり、表示部２４５には、２Ｋ映像が表示され、４Ｋ映像切替ボタンＢ１０は表示されない。
【００４４】
次に、制御部２５０は、表示部２４５に表示された２Ｋ映像に重畳された４Ｋ映像切替ボタンＢ１０がユーザのリモコン操作により押下されたか否かを判定する（ステップＳ１５０）。具体的には、制御部２５０は、リモコン入力部２７０から制御部２５０に入力される操作情報に基づいて、ユーザのリモコン操作により４Ｋ映像切替ボタンＢ１０が押下されたか否かを判定する。例えば、制御部２５０は、リモコン３０の決定ボタンＢＭ８が押下された場合には４Ｋ映像切替ボタンＢ１０が押下されたと判定する。
【００４５】
４Ｋ映像切替ボタンＢ１０が押下されたと判定された場合（ステップＳ１５０：ＹＥＳ）、制御部２５０は、４Ｋ映像切替ボタンＢ１０の画像データの出力を終了する（ステップＳ１５５、４Ｋ映像切替ボタンＢ１０非表示）。また、制御部２５０は、４Ｋ映像の放送コンテンツのチャンネル情報をチューナー２１０に出力する。これにより、チューナー２１０は、２Ｋ映像の放送コンテンツから４Ｋ映像の放送コンテンツへチャンネルを切り替え、４Ｋ映像の放送コンテンツを受信する。これにより、表示部２４５に４Ｋ映像が表示される（ステップＳ１６０、図１の表示画面Ｇ２０参照）。
【００４６】
一方、４Ｋ映像切替ボタンＢ１０が押下されていないと判定された場合（ステップＳ１５０：ＮＯ）、制御部２５０は、ユーザにより４Ｋ映像切替ボタンＢ１０がキャンセルされたか否かを判定する（ステップＳ１７０）。具体的には、制御部２５０は、リモコン入力部２７０から制御部２５０に入力される操作情報に基づいて、ユーザのリモコン操作により４Ｋ映像切替ボタンＢ１０がキャンセルされたか否かを判定する。例えば、制御部２５０は、リモコン３０の戻るボタンＢＭ１０が押下された場合には４Ｋ映像切替ボタンＢ１０がキャンセルされたと判定する。
【００４７】
４Ｋ映像切替ボタンＢ１０がキャンセルされていないと判定された場合（ステップＳ１７０：ＮＯ）、制御部２５０は、ステップＳ１４０に処理を戻し、４Ｋ映像切替ボタンＢ１０を継続して表示部２４５に表示させる。一方、４Ｋ映像切替ボタンＢ１０がキャンセルされたと判定された場合（ステップＳ１７０：ＹＥＳ）、制御部２５０は、４Ｋ映像切替ボタンＢ１０の画像データの出力を終了して、４Ｋ映像切替ボタンＢ１０を非表示にさせ（ステップＳ１８０）、表示切替処理を終了する。これにより、表示部２４５には、２Ｋ映像が表示され、４Ｋ映像切替ボタンＢ１０は表示されない。
【００４８】
以上説明したように、本実施形態によれば、受信装置２０において、制御部２５０は、２Ｋ映像（第１の解像度の映像の一例）の放送コンテンツに連動して放送されるデータ放送（番組連動データ）から、当該放送コンテンツが４Ｋ映像（第１の解像度とは異なる第２の解像度の映像の一例）で放送されている場合にデータ放送に含まれている付加情報を、抽出する。また、制御部２５０は、上記付加情報が抽出された場合、受信装置２０（自装置）が４Ｋ放送に対応しているか否か（即ち、４Ｋ映像の表示に対応しているか否か）を判定する。また、制御部２５０は、４Ｋ放送に対応していると判定された場合、ユーザの操作により４Ｋ映像の放送コンテンツへ切り替え可能な表示情報（例えば、４Ｋ映像切替ボタンＢ１０）を、表示部２４５に表示させる。
これにより、受信装置２０は、複数の異なる解像度で映像コンテンツのサイマル放送が行われている場合に、ユーザが視聴する解像度を容易に切り替えることができる。例えば、２Ｋ映像と４Ｋ映像でサイマル放送が行われている場合に、２Ｋ映像の表示画面に４Ｋ映像の放送への切り替え可能な４Ｋ映像切替ボタンＢ１０を表示することで、ユーザは表示されたボタンを押す操作のみで、より高画質な４Ｋ放送へ手軽に切り替えることができる。なお、２Ｋ放送と４Ｋ放送のサイマル放送に限られるものではなく、２Ｋ放送と８Ｋ放送のサイマル放送等、解像度の組合せはいずれであってもよい。
【００４９】
例えば、上記付加情報は、ユーザの操作により４Ｋ映像へ切り替え可能な４Ｋ映像切替ボタンＢ１０を表示部２４５に表示するための情報である。制御部２５０は、２Ｋ映像の放送コンテンツに連動して放送されるデータ放送（番組連動データ）から上記付加情報を抽出し、且つ４Ｋ放送に対応していると判定された場合、上記付加情報に基づいて４Ｋ映像切替ボタンＢ１０を表示部２４５に表示させる。
このように、２Ｋ放送と４Ｋ放送でサイマル放送が行われている場合、４Ｋ放送に対応している受信装置２０であれば、ユーザは表示されたボタンを押す操作のみで、より高画質な４Ｋ放送へ手軽に切り替えることができる。
【００５０】
[第２の実施形態]
次に、本発明の第２の実施形態について説明する。
上記第１の実施形態では、４Ｋ映像切替ボタンＢ１０を表示部２４５に表示した場合、４Ｋ映像切替ボタンＢ１０を押下、又はキャンセルする操作をしない限り、４Ｋ映像切替ボタンＢ１０が２Ｋ映像の上に表示され続けてしまうため、ユーザの視聴の妨げになる。そこで、本実施形態では、４Ｋ映像切替ボタンＢ１０を表示させる表示時間（表示させている時間）を所定の時間に限定する。
【００５１】
例えば、制御部２５０は、４Ｋ映像切替ボタンＢ１０の表示の開始から終了までの表示時間を所定の時間に限定する。具体的には、切替ボタン制御部２５４は、４Ｋ映像切替ボタンＢ１０の画像データを出力する場合、出力を開始してから所定の時間経過したら出力を停止する。ここで、所定の時間は、受信装置２０で予め設定されていてもよいし、ユーザにより任意に設定されてもよい。また、４Ｋ映像切替ボタンＢ１０の表示の開始から終了までの経過時間は、制御部２５０が備える計時部（不図示）により計時される。
【００５２】
図６を参照して、４Ｋ映像切替ボタンＢ１０の表示時間を限定する表示切替処理の動作を説明する。図６は、本実施形態に係る表示切替処理の一例を示すフローチャートである。この図に示す例は、図５に示す第１の実施形態の表示切替処理に、４Ｋ映像切替ボタンＢ１０の表示時間を限定する処理を適用したものである。ここでは、一例として、４Ｋ映像切替ボタンＢ１０の表示時間が、３秒に設定されているとして説明する。
【００５３】
なお、この図に示す、ステップＳ３１０、Ｓ３２０、Ｓ３３０、Ｓ３４０、Ｓ３５０、Ｓ３５５、Ｓ３６０、Ｓ３８０の処理は、図５に示す、ステップＳ１１０、Ｓ１２０、Ｓ１３０、Ｓ１４０、Ｓ１５０、Ｓ１５５、Ｓ１６０、Ｓ１８０の処理と同様であるため、その説明を省略する。この図に示す処理では、ステップＳ３７０の処理が、図５に示すステップＳ１７０の処理と異なる。
【００５４】
４Ｋ映像切替ボタンＢ１０が押下されていないと判定された場合（ステップＳ３５０：ＮＯ）、制御部２５０は、４Ｋ映像切替ボタンＢ１０の表示時間が３秒経過したか否かを判定する（ステップＳ３７０）。
【００５５】
４Ｋ映像切替ボタンＢ１０の表示時間が３秒経過していないと判定された場合（ステップＳ３７０：ＮＯ）、制御部２５０は、ステップＳ１４０に処理を戻し、４Ｋ映像切替ボタンＢ１０を継続して表示部２４５に表示させる。一方、４Ｋ映像切替ボタンＢ１０の表示時間が３秒経過したと判定された場合（ステップＳ３７０：ＹＥＳ）、制御部２５０は、４Ｋ映像切替ボタンＢ１０の画像データの出力を終了して、４Ｋ映像切替ボタンＢ１０を非表示にさせ（ステップＳ３８０）、表示切替処理を終了する。これにより、表示部２４５に表示された４Ｋ映像切替ボタンＢ１０が３秒以上押下されない場合には、非表示になる。
【００５６】
このように、本実施形態では、４Ｋ映像切替ボタンＢ１０を表示部２４５に表示させる表示時間を、所定の時間（例えば、３秒）に限定するため、例えば、ユーザが４Ｋ映像の視聴を望んでいない場合には、あえて操作を行わなくとも４Ｋ映像切替ボタンＢ１０が３秒後には非表示にすることができ、ユーザの視聴を妨げないようにすることができる。
【００５７】
以上、この発明の第１、第２の実施形態を図面を参照して詳述してきたが、具体的な構成はこの実施形態に限られるものではなく、この発明の要旨を逸脱しない範囲の設計等も含まれる。例えば、上述の第１、第２の実施形態において説明した各機能及び構成は、任意に組み合わせることができる。
【００５８】
なお、上記実施形態では、２Ｋ映像の視聴時に４Ｋ映像へ切り替える処理の例を説明したが、切り替え前の映像と切り替え後の映像の解像度は任意に定めることができる。例えば、２Ｋ映像の視聴時に８Ｋ映像へ切り替える処理としてもよいし、８Ｋ映像又は４Ｋ映像の視聴時に２Ｋ映像へ切り替える処理としてもよい。また、２Ｋ映像の視聴時に４Ｋ映像へ切り替え可能な４Ｋ映像切替ボタンＢ１０に代えて、４Ｋ映像を選択可能なボタンとしてもよい。例えば、ボタン操作で、いきなり２Ｋ映像から４Ｋ映像に切り替わるのではなく、一旦４Ｋ映像を選択することで２Ｋ映像と４Ｋ映像との２画面表示となり、さらにユーザの操作により４Ｋ映像の全画面表示に切り替わるようにしてもよい。
【００５９】
また、上記実施形態では、４Ｋ映像へ切り替え可能な表示情報として、切替ボタン（例えば、４Ｋ映像切替ボタンＢ１０）を表示する例を説明したが、表示形態はボタンに限られるものではない。例えば、ユーザの操作により４Ｋ映像へ切り替え可能な表示情報であれば、アイコン、テキスト、メニュー等の表示形態であってもよい。
【００６０】
なお、上記実施形態では、受信装置２０が表示部２４５を備えた構成を例に説明したが、受信装置２０は、放送波を受信する機能を備えて外部の表示装置に映像データを供給するＤＶＤレコーダ、ＢＤレコーダ、ＨＤＤレコーダ、セットトップボックス等のように表示部２４５を備えていない構成でもよい。つまり、表示部２４５は、受信装置２０と接続される外部の表示装置として構成されてもよい。
【００６１】
なお、上述した実施形態における送信装置１０の一部、受信装置２０の一部の機能をコンピュータで実現するようにしてもよい。その場合、上述の機能を実現するためのプログラムをコンピュータ読み取り可能な記録媒体に記録して、この記録媒体に記録されたプログラムをコンピュータシステムに読み込ませ、実行することによって上述の機能を実現してもよい。なお、ここでいう「コンピュータシステム」とは、端末装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００６２】
また、上述した実施形態における送信装置１０及び受信装置２０の一部、または全部を、ＬＳＩ（Ｌａｒｇｅ  Ｓｃａｌｅ  Ｉｎｔｅｇｒａｔｉｏｎ）等の集積回路として実現してもよい。送信装置１０及び受信装置２０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００６３】
１  放送システム、１０  送信装置、１５  放送衛星、２０  受信装置、２１０  チューナー、２１５  復号部、２２０  分離部、２３０  音声復号部、２３５  音声出力部、２４０  映像復号部、２４５  表示部、２５０  制御部、２５１  データ抽出部、２５２  判定部、２５４  切替ボタン制御部、２５５  チャンネル選択部、２６０  記憶部、２７０  リモコン入力部
【図１】
0006489682.tif 000002
【図２】
0006489682.tif 000003
【図３】
0006489682.tif 000004
【図４】
0006489682.tif 000005
【図５】
0006489682.tif 000006
【図６】
0006489682.tif 000007